【手続補正書】
【提出日】平成27年8月3日(2015.8.3)
【手続補正１】
【補正対象書類名】明細書
【補正対象項目名】００１０
【補正方法】変更
【補正の内容】
【００１０】
上記目的を達成するために、本発明は、遊技球が流下する遊技領域を有する遊技盤と、前記遊技領域に設けられた始動口およびスルーチャッカと、演出を表示する演出表示装置と、遊技球が前記始動口に入賞することで特別図柄の当否に係る抽選を行う特別図柄抽選手段と、この特別図柄抽選手段による抽選で特図当たりに当選した場合に、その当選に係る特別図柄の種類を、複数の中から抽選により決定する特別図柄種類決定手段と、獲得できる賞球数が異なる複数の大当たり遊技の中から前記特別図柄種類決定手段が決定した特別図柄の種類に基づいて大当たり遊技を提供する大当たり遊技制御手段と、前記スルーチャッカを遊技球が通過したことを契機に普通図柄の当否に係る抽選を行う普通図柄抽選手段と、前記始動口の入り口に設けられ、前記普通図柄抽選手段による抽選で普図当たりに当選した場合に開閉して、遊技球の前記始動口への入賞を容易にする普通電動役物と、前記大当たり遊技後の遊技状態を設定する遊技状態設定手段と、を備え、前記特別図柄抽選手段は、前記特図当たりに当選する確率が通常の確率に設定された特別図柄通常抽選手段と、この特別図柄通常抽選手段より前記特図当たりに当選する確率が高く設定された特別図柄高確率抽選手段と、を有し、前記普通図柄抽選手段は、前記普図当たりに当選する確率が通常の確率に設定された普通図柄通常抽選手段と、この普通図柄通常抽選手段より前記普図当たりに当選する確率が高く設定された普通図柄高確率抽選手段と、を有し、前記遊技状態として、前記特別図柄通常抽選手段と前記普通図柄通常抽選手段によって遊技が行われる通常遊技状態と、前記特別図柄通常抽選手段と前記普通図柄高確率抽選手段によって遊技が行われる時短遊技状態と、前記特別図柄高確率抽選手段と前記普通図柄高確率抽選手段によって遊技が行われる確変遊技状態と、が設けられているパチンコ機において、前記パチンコ機に併設された台間機から有価価値記憶媒体の取り出し忘れを防止するための注意喚起画像を表示するよう前記演出表示装置を制御する演出制御手段を備え、前記複数の特別図柄の種類には、賞球の獲得があまり見込めない前記大当たり遊技と対応付けられた第１図柄と、この第１図柄に比べて多くの賞球の獲得が見込める前記大当たり遊技と対応付けられた第２図柄とがあり、前記演出制御手段は、前記通常遊技状態のもとで行われた遊技で前記特図当たりに当選し、その当選時に決定された前記特別図柄の種類が前記第２図柄である場合には、当該第２図柄の決定から当該当選に基づいて提供される前記大当たり遊技が終了するまでの間に前記注意喚起画像を表示するよう前記演出表示装置を制御する一方、前記特図当たりに当選し、その当選時に決定された前記特別図柄の種類が前記第１図柄である場合には、その当選時の遊技状態が何れであっても、当該第１図柄の決定から当該当選に基づいて提供される前記大当たり遊技が終了するまでの間に前記注意喚起画像を表示しないよう前記演出表示装置を制御することを特徴としている。
【手続補正２】
【補正対象書類名】明細書
【補正対象項目名】００１１
【補正方法】変更
【補正の内容】
【００１１】
ここで、本発明を説明するにあたり、特別図柄抽選手段による抽選で特図当たりに当選し、その当選に係る特別図柄の種類が、「第２図柄」（出玉有り図柄）である場合の特図当たりのことを、適宜、「出玉有り大当たり」と言うことにし、特別図柄抽選手段による抽選で特図当たりに当選し、その当選に係る特別図柄の種類が、「第１図柄」（出玉無し図柄）である場合の特図当たりのことを、適宜、「出玉無し大当たり」と言うことにする。
【手続補正３】
【補正対象書類名】明細書
【補正対象項目名】００１２
【補正方法】変更
【補正の内容】
【００１２】
「出玉有り大当たり」に当選した場合には、遊技者は、大当たり遊技中に多くの賞球を獲得できるので、台間機から有価価値記憶媒体を取り出すことを忘れやすいが、本発明によると、通常遊技状態のもとで行われた遊技で出玉有り大当たりに当選した場合には、演出制御手段は、注意喚起画像を演出表示装置に表示するので、遊技者が台間機から有価価値記憶媒体を取り出すことを促すことができる。一方、特図当たりに当選する度に注意喚起画像が演出表示装置に表示されると遊技の邪魔となる虞があるが、本発明によると、「出玉無し大当たり」に当選した場合には、その当選時の遊技状態に拘わらず注意喚起画像が演出表示装置に表示されないので、台間機に有価価値記憶媒体が挿入されているか否かを判定することなく、遊技の邪魔とならないように台間機から有価価値記憶媒体の取り出し忘れを報知することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本発明は、上記構成において、前記遊技状態として、前記特別図柄高確率抽選手段と前記普通図柄通常抽選手段によって遊技が行われる潜確遊技状態がさらに設けられ、前記演出制御手段は、前回の前記特図当たりが前記通常遊技状態に設定されている間に行われた遊技で当選したものであって、その前回の当選時に決定された前記特別図柄の種類が前記第１図柄であり、その前回の前記大当たり遊技後に前記遊技状態が前記時短遊技状態、前記確変遊技状態および前記潜確遊技状態のうち何れかに移行して、その移行した前記遊技状態のもとで今回の前記特図当たりに当選し、その今回の当選時に決定された前記特別図柄の種類が前記第２図柄である場合には、当該第２図柄の決定から当該当選に基づいて提供される前記大当たり遊技が終了するまでの間に前記注意喚起画像を表示するよう前記演出表示装置を制御することを特徴とするものであってもよい。
【手続補正６】
【補正対象書類名】明細書
【補正対象項目名】００１７
【補正方法】変更
【補正の内容】
【００１７】
また、本発明は、上記構成において、前記演出制御手段は、前回の前記大当たり遊技が前記第２図柄に基づいて提供されたものであって、その前回の大当たり遊技後の前記遊技状態が前記時短遊技状態または前記確変遊技状態に移行し、その移行した遊技状態のもとで行われた遊技で今回の前記特図当たりに当選した場合には、その今回の前記特図当たり当選時に決定された前記特別図柄の種類が前記第２図柄であっても、当該第２図柄の決定から当該当選に基づいて提供される前記大当たり遊技が終了するまでの間に前記注意喚起画像を表示しないよう前記演出表示装置を制御することを特徴とするものであってもよい。
【手続補正７】
【補正対象書類名】明細書
【補正対象項目名】００１９
【補正方法】変更
【補正の内容】
【００１９】
また、本発明は、上記構成において、前記大当たり遊技は、複数回のラウンド遊技が行われる区間と、これら複数回のラウンド遊技に含まれる最終ラウンド遊技後の大当たり遊技終了区間とで構成され、前記大当たり遊技制御手段は、前記各ラウンド遊技を順次実行するように前記大当たり遊技を提供し、前記演出制御手段は、前記大当たり遊技終了区間において、前記大当たり遊技の終了を遊技者に報知するための大当たり遊技終了画像を表示するよう前記演出表示装置を制御した後に前記注意喚起画像を表示するよう前記演出表示装置を制御することを特徴とするものであってもよい。
【手続補正８】
【補正対象書類名】明細書
【補正対象項目名】００２０
【補正方法】変更
【補正の内容】
【００２０】
本発明によると、演出制御手段は、大当たり遊技終了区間において大当たり遊技終了画像を演出表示装置に表示した後に注意喚起画像を表示するので、大当たり遊技中に行われる各ラウンド遊技および大当たり遊技終了画像の邪魔とならないように台間機から有価価値記憶媒体の取り出し忘れを報知することができる。
【手続補正９】
【補正対象書類名】明細書
【補正対象項目名】００９１
【補正方法】変更
【補正の内容】
【００９１】
なお、特図の種類のうち「１５Ｒ通常時短有図柄」または「１５Ｒ特定時短有図柄」が本発明における「第２図柄」（出玉有り図柄）に相当し、「２Ｒ通常時短有図柄」または「２Ｒ特定時短無図柄」が本発明における「第１図柄」（出玉無し図柄）に相当する。
【手続補正１０】
【補正対象書類名】明細書
【補正対象項目名】０２２４
【補正方法】変更
【補正の内容】
【０２２４】
３  遊技盤
２１  スルーチャッカ
３１  遊技領域
３４  演出表示装置
３７ａ  第１始動入賞口（始動口）
３７ｂ  第２始動入賞口（始動口）
４９  電動チューリップ（普通電動役物）
１００  主制御処理部
１１０  特別図柄抽選処理部（特別図柄抽選手段）
１２０  特別図柄種類決定処理部（特別図柄種類決定手段）
１４０  遊技状態設定部（遊技状態設定手段）
１６０  大当たり遊技制御部（大当たり遊技制御手段）
１７０  普通図柄抽選処理部（普通図柄抽選手段）
２００  サブ制御処理部（副制御処理部）
２０１ 演出制御処理部（演出制御手段）
２２０  演出表示制御部
２６３  注意喚起画像
３００  台間機
【手続補正１１】
【補正対象書類名】特許請求の範囲
【補正対象項目名】全文
【補正方法】変更
【補正の内容】
【特許請求の範囲】
【請求項１】
遊技球が流下する遊技領域を有する遊技盤と、前記遊技領域に設けられた始動口およびスルーチャッカと、演出を表示する演出表示装置と、遊技球が前記始動口に入賞することで特別図柄の当否に係る抽選を行う特別図柄抽選手段と、この特別図柄抽選手段による抽選で特図当たりに当選した場合に、その当選に係る特別図柄の種類を、複数の中から抽選により決定する特別図柄種類決定手段と、獲得できる賞球数が異なる複数の大当たり遊技の中から前記特別図柄種類決定手段が決定した特別図柄の種類に基づいて大当たり遊技を提供する大当たり遊技制御手段と、前記スルーチャッカを遊技球が通過したことを契機に普通図柄の当否に係る抽選を行う普通図柄抽選手段と、前記始動口の入り口に設けられ、前記普通図柄抽選手段による抽選で普図当たりに当選した場合に開閉して、遊技球の前記始動口への入賞を容易にする普通電動役物と、前記大当たり遊技後の遊技状態を設定する遊技状態設定手段と、を備え、
前記特別図柄抽選手段は、前記特図当たりに当選する確率が通常の確率に設定された特別図柄通常抽選手段と、この特別図柄通常抽選手段より前記特図当たりに当選する確率が高く設定された特別図柄高確率抽選手段と、を有し、
前記普通図柄抽選手段は、前記普図当たりに当選する確率が通常の確率に設定された普通図柄通常抽選手段と、この普通図柄通常抽選手段より前記普図当たりに当選する確率が高く設定された普通図柄高確率抽選手段と、を有し、
前記遊技状態として、前記特別図柄通常抽選手段と前記普通図柄通常抽選手段によって遊技が行われる通常遊技状態と、前記特別図柄通常抽選手段と前記普通図柄高確率抽選手段によって遊技が行われる時短遊技状態と、前記特別図柄高確率抽選手段と前記普通図柄高確率抽選手段によって遊技が行われる確変遊技状態と、が設けられているパチンコ機において、
前記パチンコ機に併設された台間機から有価価値記憶媒体の取り出し忘れを防止するための注意喚起画像を表示するよう前記演出表示装置を制御する演出制御手段を備え、
前記複数の特別図柄の種類には、賞球の獲得があまり見込めない前記大当たり遊技と対応付けられた第１図柄と、この第１図柄に比べて多くの賞球の獲得が見込める前記大当たり遊技と対応付けられた第２図柄とがあり、
前記演出制御手段は、
前記通常遊技状態のもとで行われた遊技で前記特図当たりに当選し、その当選時に決定された前記特別図柄の種類が前記第２図柄である場合には、当該第２図柄の決定から当該当選に基づいて提供される前記大当たり遊技が終了するまでの間に前記注意喚起画像を表示するよう前記演出表示装置を制御する一方、
前記特図当たりに当選し、その当選時に決定された前記特別図柄の種類が前記第１図柄である場合には、その当選時の遊技状態が何れであっても、当該第１図柄の決定から当該当選に基づいて提供される前記大当たり遊技が終了するまでの間に前記注意喚起画像を表示しないよう前記演出表示装置を制御する
ことを特徴とするパチンコ機。
【請求項２】
請求項１の記載において、
前記遊技状態として、前記特別図柄高確率抽選手段と前記普通図柄通常抽選手段によって遊技が行われる潜確遊技状態がさらに設けられ、
前記演出制御手段は、
前回の前記特図当たりが前記通常遊技状態に設定されている間に行われた遊技で当選したものであって、その前回の当選時に決定された前記特別図柄の種類が前記第１図柄であり、その前回の前記大当たり遊技後に前記遊技状態が前記時短遊技状態、前記確変遊技状態および前記潜確遊技状態のうち何れかに移行して、その移行した前記遊技状態のもとで今回の前記特図当たりに当選し、その今回の当選時に決定された前記特別図柄の種類が前記第２図柄である場合には、当該第２図柄の決定から当該当選に基づいて提供される前記大当たり遊技が終了するまでの間に前記注意喚起画像を表示するよう前記演出表示装置を制御する
ことを特徴とするパチンコ機。
【請求項３】
請求項１または請求項２の記載において、
前記演出制御手段は、
前回の前記大当たり遊技が前記第２図柄に基づいて提供されたものであって、その前回の大当たり遊技後の前記遊技状態が前記時短遊技状態または前記確変遊技状態に移行し、その移行した遊技状態のもとで行われた遊技で今回の前記特図当たりに当選した場合には、その今回の前記特図当たり当選時に決定された前記特別図柄の種類が前記第２図柄であっても、当該第２図柄の決定から当該当選に基づいて提供される前記大当たり遊技が終了するまでの間に前記注意喚起画像を表示しないよう前記演出表示装置を制御する
ことを特徴とするパチンコ機。
【請求項４】
請求項１から請求項３のうち何れか一つの請求項の記載において、
前記大当たり遊技は、複数回のラウンド遊技が行われる区間と、これら複数回のラウンド遊技に含まれる最終ラウンド遊技後の大当たり遊技終了区間とで構成され、
前記大当たり遊技制御手段は、前記各ラウンド遊技を順次実行するように前記大当たり遊技を提供し、
前記演出制御手段は、前記大当たり遊技終了区間において、前記大当たり遊技の終了を遊技者に報知するための大当たり遊技終了画像を表示するよう前記演出表示装置を制御した後に前記注意喚起画像を表示するよう前記演出表示装置を制御する
ことを特徴とするパチンコ機。